(57)【特許請求の範囲】
【請求項１】
浴室の開口部に開閉可能に配置される浴室用ドアであって上框１１、下框１２、竪框１３及びパネル１６を備え、パネル１６の下部をパネル支持部材１７で保持するとともに、下部にガラリ１５を配置した浴室用ドアにおいて、ガラリ１５及びパネル支持部材１７の端部を竪框１３に沿って配置したガラリホルダ１９で支持しており、
ガラリホルダ１９が、ガラリ１５の端部を支持する側（ガラリ１５側）にガラリ１５の端部と係合するガラリ係合部２２を形成し、ガラリ係合部２２の反対側面に縦通水溝２１ｂを形成し、且つ、上方に上部排水溝２１ａをパネル支持部材１７の底部の位置と溝の底部位置とを略同一のものとして形成してあり、加えて、ガラリ１５との当接部以外の部分で室外側（脱衣室側）の部分２３を縦通水溝２１ｂから遮断状態に形成してあり、
下框１２の浴室側には排水孔１２ａが穿設してあることを特徴とする浴室用ドア。
【発明の詳細な説明】
【０００１】
【発明の属する技術分野】
本発明は、浴室の開口部に開閉可能に配置される浴室用ドアであってその下部にガラリを配置した浴室用ドアにおいて、浴室内からのシャワー散水、バケツ散水、結露などを通して、パネルの竪框内部に浸入した水を、竪框の浴室側に流し出すことを目的とした浴室用ドアに関する。
【０００２】
【従来の技術】
従来、浴室出入り口で使用する折り戸、ドア、引戸等の浴室用ドアの竪框に入った湯水は、竪框の内面を伝って浴室外にも流れだし、更衣室等の床を汚すという不具合があった。しかし、浴室用ドアの竪框内に入った湯水を浴室内のみに導くという技術は開発されていない。
【０００３】
【発明が解決しようとする課題】
したがって、本発明の課題は、上記従来技術の不具合を除去することにあり、框内に浸入した水をガラリを支持するガラリホルダを利用して浴室側へすべて流し出すことができる浴室用ドアを提供する。
【０００４】
【課題を解決するための手段】
上記課題を達成するために、下記の手段を講じた。請求項１記載の浴室用ドアは、浴室の開口部に開閉可能に配置される浴室用ドアであって上框１１、下框１２、竪框１３及びパネル１６を備え、パネル１６の下部をパネル支持部材１７で保持するとともに、下部にガラリ１５を配置した浴室用ドアにおいて、ガラリ１５及びパネル支持部材１７の端部を竪框１３に沿って配置したガラリホルダ１９で支持しており、ガラリホルダ１９が、ガラリ１５の端部を支持する側（ガラリ１５側）にガラリ１５の端部と係合するガラリ係合部２２を形成し、ガラリ係合部２２の反対側面に縦通水溝２１ｂを形成し、且つ、上方に上部排水溝２１ａをパネル支持部材１７の底部の位置と溝の底部位置とを略同一のものとして形成してあり、加えて、ガラリ１５との当接部以外の部分で室外側（脱衣室側）の部分２３を縦通水溝２１ｂから遮断状態に形成してあり、下框１２の浴室側には排水孔１２ａが穿設してあることを特徴とする。
【０００６】
【発明の実施の形態】
以下、本発明の実施例を図面を参照しつつ説明する。図１は本発明に係る浴室用ドアの排水装置（ガラリホルダ）の要部斜視図、図２は本発明に係るガラリホルダを適用した浴室用ドアの正面図、図３は同浴室用ドアの垂直断面図、図４は同浴室用ドアの水平断面図、図５は同浴室用ドアのガラリホルダの要部斜視図（図２のＡ部詳細斜視図）、図６はガラリホルダの正面図（Ａ）、側面図（Ｂ）及び正面図Ａ−Ａ線の断面図（Ｃ）、図７は同ガラリホルダの裏面図である。
【０００７】
（躯体）浴室出入り口の開口部の各縁部には、上枠１、下枠２及び竪枠３，３が配置されて開口部の額縁を構成している。そして、この開口部に浴室用ドア１０がヒンジにより開閉自在に配置される。
【０００８】
（浴室用ドア）本実施例に係る浴室用ドア１０は、２枚の戸１０ａ、１０ａがヒンジ体１４により、折り畳み可能に連結された折り戸構造になっている。各戸１０ａは、上方の上框１１、側方の竪框１３、及び、パネル支持部材１７に保持されたパネル１６とガラリ１５とからなる。なお、下框１２の浴室側には排水孔１２ａが穿設されている。
【０００９】
（ガラリ１５）ガラリ１５には、パネル支持部材１７と下框１２との間にＺ形の断面のガラリ１５が設けられ、パネル支持部材１７とガラリ１５の上方との間、ガラリ１５と下框１２との間に通気用間隙１５ｂが形成されている。そして、ガラリ１５とパネル支持部材１７とは、竪框１３に内装されるガラリホルダ１９を介して装着される。
【００１０】
（ガラリホルダ１９）ガラリホルダ１９は、図１に示されるように、下框１２上に載置され、竪框１３内に内装可能な外形状が略直方体形状のもので、支持部２０とガラリ係合部２２とからなる。ガラリホルダ１９は上下に一定長さを有し、支持部２０は竪框１３内に装着状態において、上方には上部通水溝２１ａが形成され、また、ガラリ係合部２２とは反対の面には縦通水溝２１ｂが形成される。また、ガラリホルダ１９は、ガラリ１５の当接部以外の部分で室外側（脱衣室側）の部分２３は縦通水溝２１ｂから遮断状態に形成されている。したがって、ガラリ１５に対して、浴室内側から入った湯水は、縦通水溝２１ｂに入ることがあっても脱衣室側へは脱衣室側の部分２３により遮断されることから、脱衣室側に入ることはない。なお、上部通水溝２１ａと縦通水溝２１ｂとを総称する時は、単に「通水溝２１」という。
【００１１】
更に、ガラリ係合部２２の形状は、特に図７に示すように、ガラリ１５の端部の凹凸形状に合わせて凸凹形状が合致する。ガラリホルダ１９の下端部は下框１２に鉛直状態で載置可能となっている。また、ガラリホルダ１９が下框１２に載置された状態において、上記上部通水溝２１ａの底部位置は、パネル支持部材１７の底部の位置とは略同一のものとして形成されている。
【００１２】
（効果）上記構成により、本実施例では、下框１２の両端部上面に載置したガラリホルダ１９により、ガラリ１５の端部及びパネル支持部材１７を竪框１３内において支持させることができ、また、パネル支持部材１７の隙間から流れ出した水を、このガラリホルダ１９に形成した通水溝２１に流し込んでパネル面の水を使用する側（浴室側）へ移動させ、下框１２の排水孔１２ａを利用して排水する。また、下框１２のガラリホルダ１９を載置する面は、このガラリホルダ１９によって水を使用する側（浴室側）から竪框１３に直接水が入らない構造をとっているのでガラリ１５からの直接入ってくる水もブロックしている。更に、竪框１３内に入った水をガラリ１５のガラリホルダ１９の裏面を介して浴室側に出すことが可能となる。
【００１３】
以上、本発明の実施の形態を図により説明したが、本発明の具体的な構成は図示の実施の形態に限定されるものではなく、本発明の要旨を逸脱しない範囲の設計変更は本発明に含まれる。例えば、本発明浴室用ドアを図示の実施の形態のように折り戸とする代わりに１枚扉でもよく、引き戸でもよい。なお、上記実施例は浴室用ドアの場合を示したが、浴室の他の開閉戸や嵌め殺し戸に用いてもよいことは言うまでもない。
【００１４】
【発明の効果】
以上の説明から理解できるように、このように構成された本発明のガラリホルダの排水構造により、竪框内に入った水をガラリホルダの裏面を介して浴室側に流し出すことにより、脱衣室側への漏水が無くなり、長年の懸案であった脱衣室側の床が腐る等の問題が解消し、さらに脱衣室側床に漏水がないことにより滑り防止の面で優れている。
【図面の簡単な説明】
【図１】本発明に係る浴室用ドアの排水装置（ガラリホルダ）の要部斜視図。
【図２】本発明に係るガラリホルダを適用した浴室用ドアの正面図。
【図３】同浴室用ドアの垂直断面図。
【図４】同浴室用ドアの水平断面図。
【図５】同浴室用ドアのガラリホルダの要部斜視図（図２のＡ部詳細図）。
【図６】ガラリホルダの正面図（Ａ）、側面図（Ｂ）及び正面図Ａ−Ａ線の断面図（Ｃ）。
【図７】同ガラリホルダの裏面図。
【符号の説明】
１・・・上枠 ２・・・下枠 ３・・・竪枠
１０・・浴室用ドア １０ａ・・戸
１１・・上框 １２・・下框 １２ａ・・排水孔
１３・・竪框 １４・・ヒンジ体
１５・・ガラリ １５ｂ・・通気用間隙
１６・・パネル １７・・パネル支持部材 １８・・把手
１９・・ガラリホルダ ２０・・支持部
２１・・通水溝 ２１ａ・・上部通水溝 ２１ｂ・・縦通水溝
２２・・ガラリ係合部 ２３・・室外側の部分
【図１】
0003620591.tif 000002
【図２】
0003620591.tif 000003
【図３】
0003620591.tif 000004
【図４】
0003620591.tif 000005
【図５】
0003620591.tif 000006
【図６】
0003620591.tif 000007
【図７】
0003620591.tif 000008